【手続補正書】
【提出日】平成17年10月28日(2005.10.28)
【手続補正１】
【補正対象書類名】明細書
【補正対象項目名】特許請求の範囲
【補正方法】変更
【補正の内容】
【特許請求の範囲】
【請求項１】
光情報記録媒体の情報記録面に光束を集光させる光ピックアップ装置に用いられる光学素子であって、
光軸に対して同心円に区分され、互いに光軸方向に異なる厚みを有する複数の輪帯を備え、
前記複数の輪帯における所定の輪帯を通過する光線の光路長を、前記所定の輪帯に対して前記光軸側に隣り合う他の輪帯を通過する光線の光路長よりも使用基準波長λ0の略整数倍だけ長くする光路差付与機能と、前記使用基準波長λ0の光束が前記情報記録面に集光される集光スポットの球面収差を最適にする屈折機能とを有し、
使用基準温度Ｔ0において前記使用基準波長λ0の光束をほぼ波面収差なく前記情報記録面に集光し、
使用基準温度Ｔ0とは異なる使用温度Ｔ（｜Ｔ−Ｔ0｜＜６０［℃］）において、使用基準波長λ0とは異なる使用波長λの光束を、波面収差が０．１４λｒｍｓ以下となるように前記情報記録面に集光することを特徴とする光学素子。
【請求項２】
請求項１記載の光学素子において、
前記輪帯の数は３〜６０の何れかであることを特徴とする光学素子。
【請求項３】
請求項１または２記載の光学素子において、
入射する発散光を前記情報記録面に集光可能であるように形成されたことを特徴とする光学素子。
【請求項４】
請求項１または２記載の光学素子において、
前記光軸にほぼ平行に入射する光線からなる光束を前記情報記録面に集光可能であり、
この光束のうち最も光軸から離れた位置で光学機能面を通過する光線が、前記屈折機能により光軸と交わる位置と、近軸光線が前記屈折機能により光軸と交わる位置との距離が０．０３ｍｍ以下であることを特徴とする光学素子。
【請求項５】
請求項３または４記載の光学素子において、
前記光軸に対して１２．５度以下の光線からなる光束が入射された場合、この光束のうち前記光軸から最も離れた位置で光学機能面を通過する光線が前記屈折機能により前記光軸と交わる位置と、近軸光線が前記屈折機能により前記光軸と交わる位置との距離が０．０２ｍｍ以下であることを特徴とする光学素子。
【請求項６】
請求項１〜５の何れか一項に記載の光学素子において、
所定の基板厚を有する第一光情報記録媒体の情報記録面に使用波長λ1の光束を、情報の記録または再生可能に集光するとともに、
前記所定の基板厚以上の基板厚を有する第二光情報記録媒体の情報記録面に使用波長λ2（λ1＜λ2）の光束を、情報の記録または再生可能に集光することを特徴とする光学素子。
【請求項７】
請求項６記載の光学素子において、
前記使用波長λ1と前記使用波長λ2とは、それぞれ
６００ｎｍ≦λ1≦７００ｎｍ
７００ｎｍ≦λ2≦８００ｎｍ
であり、前記使用波長λ1の光による集光スポットの開口数ＮＡ１と、前記使用波長λ2の光による集光スポットの開口数ＮＡ２とは、
ＮＡ１＞ＮＡ２
であることを特徴とする光学素子。
【請求項８】
請求項６または７記載の光学素子において、
前記複数の輪帯は、光学機能面の一部の領域に形成されており、
前記使用波長λ1の光束のうち前記複数の輪帯を通過した光束は、前記第一光情報記録媒体の情報記録面に形成される第一の集光スポットが情報を記録または再生可能な状態となるように集光され、
前記使用波長λ2の光束のうち前記複数の輪帯を通過した光束は、前記第二光情報記録媒体の情報記録面に形成される第二の集光スポットが情報を記録または再生可能な状態となるようには集光されないことを特徴とする光学素子。
【請求項９】
請求項８記載の光学素子において、
前記光学機能面のうち前記一部の領域以外の領域には、情報を記録または再生可能な状態に前記第一光情報記録媒体の情報記録面に前記使用波長λ1の光束を集光するとともに、情報を記録または再生可能な状態に前記第二光情報記録媒体の情報記録面に前記使用波長λ2の光束を集光する互換用構造が形成されていることを特徴とする光学素子。
【請求項１０】
請求項９記載の光学素子において、
前記互換用構造は、回折構造であることを特徴とする光学素子。
【請求項１１】
請求項９記載の光学素子において、
前記互換用構造は、前記光学機能面のうち前記一部の領域以外の領域に、前記光軸に対して同心円に区分され、互いに光軸方向に異なる厚みを有する複数の輪帯によって形成され、
この互換用構造に入射する光線は各輪帯の表面によって屈折され、
前記集光スポットの波面収差が最小となる像面位置における、前記互換用構造の各輪帯を通過した光線の位相と、前記情報記録面上の集光スポットの平均位相との位相差φは、
−０．５π≦φ≦０．５π
（ここで、π：円周率）
となることを特徴とする光学素子。
【請求項１２】
請求項１〜１１の何れか一項に記載の光学素子において、
前記使用波長λと屈折率ｎとの温度変化による変化率ｄλ／ｄＴ、ｄｎ／ｄＴは、それぞれ、
０．０５［ｎｍ／℃］＜ｄλ／ｄＴ＜０．５［ｎｍ／℃］
−０．０００２［／℃］＜ｄｎ／ｄＴ＜−０．００００５［／℃］
であることを特徴とする光学素子。
【請求項１３】
請求項１〜１２の何れか一項に記載の光学素子において、
前記光軸上にそれぞれ配置された、前記光路差付与機能を有する第一光学素子と、前記屈折機能を有する第二光学素子とを備えることを特徴とする光学素子。
【請求項１４】
光情報記録媒体の情報記録面に光束を集光させる光ピックアップ装置であって、
請求項１〜１３の何れか一項に記載の光学素子が、光学系における光軸上に配置されたことを特徴とする光ピックアップ装置。
【手続補正２】
【補正対象書類名】明細書
【補正対象項目名】００１４
【補正方法】変更
【補正の内容】
【００１４】
ここで、本発明における光学素子は、前記使用温度Ｔが｜Ｔ−Ｔ0｜＜３０［℃］の場合、前記使用基準波長λ0とは異なる使用波長λの光束を、波面収差が０．０７λｒｍｓ以下となるように前記情報記録面に集光することが好ましい。
【手続補正３】
【補正対象書類名】明細書
【補正対象項目名】００１５
【補正方法】変更
【補正の内容】
【００１５】
これにより、上記の発明と同様の効果が得られるとともに、使用温度Ｔが｜Ｔ−Ｔ0｜＜３０［℃］の場合に、使用波長λの光束は、波面収差が０．０７λｒｍｓ以下となるように集光される。このように、光ピックアップ装置の温度が使用基準温度Ｔ0に対して変化した場合であっても波面収差を確実に抑えることができるため、光情報記録媒体へのデータの読み書き時のエラーを確実に防止することができる。
【手続補正４】
【補正対象書類名】明細書
【補正対象項目名】００１６
【補正方法】変更
【補正の内容】
【００１６】
また、本発明における光学素子は、前記使用基準波長λ0が４００ｎｍ≦λ0≦８００ｎｍであることが好ましい。
【手続補正５】
【補正対象書類名】明細書
【補正対象項目名】００１７
【補正方法】変更
【補正の内容】
【００１７】
これにより、上記の発明と同様の効果が得られるとともに、使用基準波長λ0は４００ｎｍ＜λ0＜８００ｎｍであるので、ＣＤ−ＲＷやＤＶＤ、高密度ＤＶＤ等にデータを読み書きするのに適する。なお、高密度ＤＶＤとは、ＤＶＤと同程度の大きさで、ＤＶＤよりも大容量の光情報記録媒体である。
【手続補正６】
【補正対象書類名】明細書
【補正対象項目名】００１８
【補正方法】変更
【補正の内容】
【００１８】
また、本発明における光学素子は、前記使用基準波長λ0が７００ｎｍ≦λ0≦８００ｎｍであることが好ましい。
【手続補正７】
【補正対象書類名】明細書
【補正対象項目名】００１９
【補正方法】変更
【補正の内容】
【００１９】
これにより、上記の発明と同様の効果が得られるとともに、使用基準波長λ0は、７００ｎｍ＜λ0＜８００ｎｍであるので、特にＣＤ−ＲＷにデータを読み書きするのに適する。
【手続補正８】
【補正対象書類名】明細書
【補正対象項目名】００２０
【補正方法】変更
【補正の内容】
【００２０】
請求項２に記載の発明は、請求項１記載の光学素子において、
前記輪帯の数は３〜６０の何れかであることを特徴とする。
【手続補正９】
【補正対象書類名】明細書
【補正対象項目名】００２２
【補正方法】変更
【補正の内容】
【００２２】
請求項３に記載の発明は、請求項１または２記載の光学素子において、
入射する発散光を前記情報記録面に集光可能であるように形成されたことを特徴とする。
【手続補正１０】
【補正対象書類名】明細書
【補正対象項目名】００２３
【補正方法】変更
【補正の内容】
【００２３】
請求項３記載の発明によれば、請求項１または２記載の発明と同様の効果が得られるとともに、半導体レーザー等のレーザー光源から発散して出射されるレーザー光束を情報記録面に集光することができるため、レーザー光源と第一光学素子との間に、発散光を平行光束に変換するためのコリメータレンズ等を設ける必要がない。従って、コリメータレンズ等を必要としない分、光ピックアップ装置の構成を小型化することができる。
【手続補正１１】
【補正対象書類名】明細書
【補正対象項目名】００２４
【補正方法】変更
【補正の内容】
【００２４】
請求項４記載の発明は、請求項１または２記載の光学素子において、
前記光軸にほぼ平行に入射する光線からなる光束を前記情報記録面に集光可能であり、
この光束のうち最も光軸から離れた位置で光学機能面を通過する光線が前記屈折機能により光軸と交わる位置と、近軸光線が前記屈折機能により光軸と交わる位置との距離が０．０３ｍｍ以下であることを特徴とする。
ここで「光学機能面を通過する光線」とは、光学素子を通過する光線を意味する。
また、「最も光軸から離れた位置で光学機能面を通過する光線」とは、光学素子の開口数に相当する光線のことを示す。
【手続補正１２】
【補正対象書類名】明細書
【補正対象項目名】００２５
【補正方法】変更
【補正の内容】
【００２５】
請求項４記載の発明によれば、請求項１または２記載の発明と同様の効果が得られるとともに、光軸にほぼ平行に入射する光線からなる光束を情報記録面に集光可能であり、この光束のうち、最も光軸から離れた位置で前記光学素子を通過する光線が、前記屈折機能により光軸と交わる位置と、近軸光線が前記屈折機能により光軸と交わる位置との距離が０．０３ｍｍ以下であるので、使用基準温度Ｔ0において使用基準波長λ0の光束が入射した場合、光路差付与機能と屈折機能とにより、ほぼ無収差となる。
また、使用基準温度Ｔ0とは異なる使用温度Ｔ（｜Ｔ−Ｔ0｜＜６０［℃］、または、｜Ｔ−Ｔ0｜＜３０［℃］）において使用基準波長λ0とは異なる使用波長λの光束が入射した場合、光路差付与機能と屈折機能とにより、ほぼ無収差となる。したがって、光情報記録媒体にデータを読み書きするために必要な回折限界以下に抑えることができる。
【手続補正１３】
【補正対象書類名】明細書
【補正対象項目名】００２６
【補正方法】変更
【補正の内容】
【００２６】
請求項５記載の発明は、請求項３または４記載の光学素子において、
前記光軸に対して１２．５度以下の光線からなる光束が入射された場合、この光束のうち前記光軸から最も離れた位置で光学機能面を通過する光線が前記屈折機能により前記光軸と交わる位置と、近軸光線が前記屈折機能により前記光軸と交わる位置との距離が０．０２ｍｍ以下であることを特徴とする。
ここで「光学機能面を通過する光線」とは、光学素子を通過する光線を意味する。
また、「最も光軸から離れた位置で光学機能面を通過する光線」とは、光学素子の開口数に相当する光線のことを示す。
【手続補正１４】
【補正対象書類名】明細書
【補正対象項目名】００２７
【補正方法】変更
【補正の内容】
【００２７】
請求項５に記載の発明によれば、請求項３または４に記載の発明と同様の効果が得られるとともに、光軸に対して１２．５度以下の光線からなる光束が光学素子に入射された場合、この光束のうち、最も光軸から離れた位置で光学素子を通過する光線が、前記屈折機能により光軸と交わる位置と、近軸光線が前記屈折機能により光軸と交わる位置との距離が０．０２ｍｍ以下であるので、使用基準温度Ｔ0において使用基準波長λ0の光束が入射した場合、光路差付与機能と屈折機能とにより、ほぼ無収差となる。
また、使用基準温度Ｔ0とは異なる使用温度Ｔ（｜Ｔ−Ｔ0｜＜６０［℃］、または、｜Ｔ−Ｔ0｜＜３０［℃］）において使用基準波長λ0とは異なる使用波長λの光束が入射した場合、光路差付与機能と屈折機能とにより、ほぼ無収差となる。したがって、集光スポットの波面収差最小値を、光情報記録媒体にデータを読み書きするために必要な回折限界以下に抑えることができる。
【手続補正１５】
【補正対象書類名】明細書
【補正対象項目名】００２８
【補正方法】変更
【補正の内容】
【００２８】
請求項６記載の発明は、請求項１〜５の何れか一項に記載の光学素子において、
所定の基板厚を有する第一光情報記録媒体の情報記録面に使用波長λ1の光束を、情報の記録または再生可能に集光するとともに、
前記所定の基板厚以上の基板厚を有する第二光情報記録媒体の情報記録面に使用波長λ2（λ1＜λ2）の光束を、情報の記録または再生可能に集光することを特徴とする。
【手続補正１６】
【補正対象書類名】明細書
【補正対象項目名】００２９
【補正方法】変更
【補正の内容】
【００２９】
請求項６記載の発明によれば、請求項１〜５の何れか一項に記載の発明と同様の効果が得られるとともに、互いに基板厚の異なる第一光情報記録媒体と第二光記録媒体とにデータを読み書きすることができる。即ち、光ピックアップ装置に、第一光情報記録媒体と第二光記録媒体とに対する互換性を持たせることができる。
【手続補正１７】
【補正対象書類名】明細書
【補正対象項目名】００３０
【補正方法】変更
【補正の内容】
【００３０】
請求項７記載の発明は、請求項６記載の光学素子において、
前記使用波長λ1と前記使用波長λ2とは、それぞれ
６００ｎｍ≦λ1≦７００ｎｍ
７００ｎｍ≦λ2≦８００ｎｍ
であり、
前記使用波長λ1の光による集光スポットの開口数ＮＡ１と、前記使用波長λ2の光による集光スポットの開口数ＮＡ２とは、
ＮＡ１＞ＮＡ２
であることを特徴とする。
【手続補正１８】
【補正対象書類名】明細書
【補正対象項目名】００３１
【補正方法】変更
【補正の内容】
【００３１】
請求項７記載の発明によれば、使用波長λ1と前記使用波長λ2とがそれぞれ６００ｎｍ≦λ1≦７００ｎｍ、７００ｎｍ≦λ2≦８００ｎｍであるので、ＤＶＤを第一光情報記録媒体として用いるとともに、ＣＤ−ＲＷを第二光情報記録媒体として用い、請求項１〜６の何れか一項に記載の発明と同様の効果を得ることができる。
【手続補正１９】
【補正対象書類名】明細書
【補正対象項目名】００３２
【補正方法】変更
【補正の内容】
【００３２】
請求項８記載の発明は、請求項６または７記載の光学素子において、
前記複数の輪帯は、光学機能面の一部の領域に形成されており、
前記使用波長λ1の光束のうち前記複数の輪帯を通過した光束は、前記第一光情報記録媒体の情報記録面に形成される第一の集光スポットが情報を記録または再生可能な状態となるように集光され、
前記使用波長λ2の光束のうち前記複数の輪帯を通過した光束は、前記第二光情報記録媒体の情報記録面に形成される第二の集光スポットが情報を記録または再生可能な状態となるようには集光されないことを特徴とする。
ここで、「光学機能面の一部」とは、例えば光学機能面上において、開口数ＮＡ２より大きく開口数ＮＡ１以下の光線が通過する領域の一部である。
【手続補正２０】
【補正対象書類名】明細書
【補正対象項目名】００３３
【補正方法】変更
【補正の内容】
【００３３】
請求項８記載の発明によれば、請求項６または７記載の発明と同様の効果が得られるとともに、前記複数の輪帯は光学機能面の一部の領域に形成され、使用波長λ1の光束のうちこれら複数の輪帯を通過した光束は、第一光情報記録媒体の情報記録面に形成される第一の集光スポットが情報を記録または再生可能な状態となるように集光され、使用波長λ2の光束のうち複数の輪帯を通過した光束は第二光情報記録媒体の情報記録面に形成される第二の集光スポットが情報を記録または再生可能な状態となるようには集光されない。従って、第二光情報記録媒体へのデータの読み書きに影響を与えることなく、第一光情報記録媒体へのデータの読み書きの際のみに、光ピックアップ装置の温度変化に起因して生じる波面収差を抑えることができる。つまり、第一光情報記録媒体へのデータの読み書きの確実性を変化させずに、第二光情報記録媒体へのデータの読み書きの確実性を高めることができる。
【手続補正２１】
【補正対象書類名】明細書
【補正対象項目名】００３４
【補正方法】変更
【補正の内容】
【００３４】
請求項９記載の発明は、請求項８記載の光学素子において、
前記光学機能面のうち前記一部の領域以外の領域には、情報を記録または再生可能に前記第一光情報記録媒体の情報記録面に前記使用波長λ1の光束を集光するとともに、情報を記録または再生可能に前記第二光情報記録媒体の情報記録面に前記使用波長λ2の光束を集光する互換用構造が形成されていることを特徴とする。
【手続補正２２】
【補正対象書類名】明細書
【補正対象項目名】００３５
【補正方法】変更
【補正の内容】
【００３５】
請求項９記載の発明によれば、請求項８記載の発明と同様の効果が得られるとともに、互換用構造を通過する使用波長λ1の光束は情報を記録または再生可能に第一光情報記録媒体の情報記録面に集光され、かつ互換用構造を通過する使用波長λ2の光束は情報を記録または再生可能に第二光情報記録媒体の情報記録面に集光されるので、互換用構造に使用波長λ1，λ2の光束をそれぞれ入射させることにより、第一光情報記録媒体と第二光記録媒体とに確実にデータを読み書きすることができる。
【手続補正２３】
【補正対象書類名】明細書
【補正対象項目名】００３６
【補正方法】変更
【補正の内容】
【００３６】
請求項１０記載の発明は、請求項９記載の光学素子において、
前記互換用構造は、回折構造であることを特徴とする。
【手続補正２４】
【補正対象書類名】明細書
【補正対象項目名】００３７
【補正方法】変更
【補正の内容】
【００３７】
請求項１０記載の発明によれば、回折構造を有する光学素子によって請求項９に記載の発明と同様の効果が得られる。
【手続補正２５】
【補正対象書類名】明細書
【補正対象項目名】００３８
【補正方法】変更
【補正の内容】
【００３８】
請求項１１記載の発明は、請求項９記載の光学素子において、
前記互換用構造は、前記光学機能面のうち前記一部の領域以外の領域に、前記光軸に対して同心円に区分され、互いに光軸方向に異なる厚みを有する複数の輪帯によって形成され、
この互換用構造に入射する光線は各輪帯の表面によって屈折され、
前記集光スポットの波面収差が最小となる像面位置における、前記互換用構造の各輪帯を通過した光線の位相と、前記情報記録面上の集光スポットの平均位相との位相差φは、
−０．５π≦φ≦０．５π
（ここで、π：円周率）
となることを特徴とする。
【手続補正２６】
【補正対象書類名】明細書
【補正対象項目名】００３９
【補正方法】変更
【補正の内容】
【００３９】
ここで、集光スポットとは、情報の記録または再生可能に光が集められた集光部分をいう。
請求項１１記載の発明によれば、請求項９記載の発明と同様の効果が得られるとともに、前記位相差φは−０．５π≦φ≦０．５πとなるので、光ピックアップ装置の温度変化に起因して生じる波面収差を、記録再生に問題ない程度に抑えることができる。
【手続補正２７】
【補正対象書類名】明細書
【補正対象項目名】００４０
【補正方法】変更
【補正の内容】
【００４０】
請求項１２記載の発明は、請求項１〜１１の何れか一項に記載の光学素子において、
前記使用波長λと屈折率ｎとの温度変化による変化率ｄλ／ｄＴ、ｄｎ／ｄＴは、それぞれ、
０．０５［ｎｍ／℃］＜ｄλ／ｄＴ＜０．５［ｎｍ／℃］
−０．０００２［／℃］＜ｄｎ／ｄＴ＜−０．００００５［／℃］
であることを特徴とする。
【手続補正２８】
【補正対象書類名】明細書
【補正対象項目名】００４１
【補正方法】変更
【補正の内容】
【００４１】
請求項１２記載の発明によれば、請求項１〜１１の何れか一項に記載の発明と同様の効果が得られるとともに、この光学系に入射する光束の使用波長λと、前記第２の光学素子の屈折率ｎとの、温度変化による変化率ｄλ／ｄＴ、ｄｎ／ｄＴは、それぞれ、
０．０５［ｎｍ／℃］＜ｄλ／ｄＴ＜０．５［ｎｍ／℃］
−０．０００２［／℃］＜ｄｎ／ｄＴ＜−０．００００５［／℃］
であるので、光情報記録媒体に対する情報の読み書きの精度がいっそう高まる。
【手続補正２９】
【補正対象書類名】明細書
【補正対象項目名】００４２
【補正方法】変更
【補正の内容】
【００４２】
ここで、本発明における光学素子は、プラスチックからなることが好ましい。
【手続補正３０】
【補正対象書類名】明細書
【補正対象項目名】００４３
【補正方法】変更
【補正の内容】
【００４３】
これにより、上記の発明と同様の効果が得られるとともに、光学素子がプラスチックからなるので、成形を行いやすく、ガラスなどに比較して素材のコストも低く、軽いため、光ピックアップ装置を軽量かつ安価なものにできる。
【手続補正３１】
【補正対象書類名】明細書
【補正対象項目名】００４４
【補正方法】変更
【補正の内容】
【００４４】
請求項１３記載の発明は、請求項１〜１２の何れか一項に記載の光学素子において、
前記光軸上にそれぞれ配置された、前記光路差付与機能を有する第一光学素子と、前記屈折機能を有する第二光学素子とを備えることを特徴とする。
【手続補正３２】
【補正対象書類名】明細書
【補正対象項目名】００４５
【補正方法】変更
【補正の内容】
【００４５】
請求項１３記載の発明によれば、請求項１〜１２のいずれかに記載の発明と同様の効果が得られるとともに、光路差付与機能と屈折機能とを独立して設計を行うことができるため、より設計が容易となる。また、第二光学素子に更なる光学的機能を持たせることもできる。
【手続補正３３】
【補正対象書類名】明細書
【補正対象項目名】００４６
【補正方法】変更
【補正の内容】
【００４６】
請求項１４記載の発明は、光情報記録媒体の情報記録面に光束を集光させる光ピックアップ装置であって、
請求項１〜１３の何れか一項に記載の光学素子が、光学系における光軸上に配置されたことを特徴とする。
【手続補正３４】
【補正対象書類名】明細書
【補正対象項目名】００４７
【補正方法】変更
【補正の内容】
【００４７】
ここで、この光ピックアップ装置は、光情報記録媒体の情報記録面に光束を集光させる光ピックアップ装置であって、
この光ピックアップ装置の光学系における光軸上に配置され、光軸を中心とする同心円で複数の輪帯に区分され、これら各輪帯は、光軸方向に互いに異なる厚さを持つように形成されているとともに、ある一つの輪帯を通過する光線の光路長を、この輪帯に隣接し、かつこの輪帯より光軸に近い他の輪帯を通過する光線の光路長よりも、使用基準波長λ0のほぼ整数倍だけ長くする光路差付与機能を有する第１の光学素子と、
同光学系の光軸上に配置され、使用基準波長λ0の光束が入射する際に前記情報記録面上に形成される集光スポットの球面収差を最適にする屈折機能を有する第２の光学素子と
を有し、
使用基準温度Ｔ0において、使用基準波長λ0の光束は、前記情報記録面にほぼ収差なく集光し、
使用基準温度Ｔ0とは異なる使用温度Ｔ（｜Ｔ−Ｔ0｜＜６０［℃］）において、使用基準波長λ0とは異なる使用波長λの光束によって形成される集光スポットにおける波面収差は、０．１４λｒｍｓ以下であることを特徴とするものとしても良い。
【手続補正３５】
【補正対象書類名】明細書
【補正対象項目名】００４８
【補正方法】変更
【補正の内容】
【００４８】
請求項１４記載の発明においては、使用基準温度Ｔ0において使用基準波長λ0の光束が入射する際に、この光学素子の屈折機能による球面収差はオーバーになるように設計される。しかしながら、この光学素子は、屈折機能と光路差付与機能との双方を有するため、入射光線に対して、実質的に光学素子が厚くなった場合と同様の効果が生じる。図１に示すように、屈折機能のみを備える光学素子を通過する光線に比べて、光学素子が屈折機能と光路差付与機能とを備える光学素子を通過する光線の、光学素子内における光路長は長くなり、その結果として、光学素子の屈折機能によりオーバーであった球面収差が、アンダーとなる作用を受け、ほぼ無収差になるのである。
ここで言う「オーバー」とは、入射光線が光軸から離れるにつれて、入射光線が光軸と交わる位置が光学素子に近づくことを意味する。
また、ここで言う「アンダー」とは、オーバーの逆であり、入射光線が光軸から離れるにつれて、入射光線が光軸と交わる位置が光学素子に近づくことを意味する。ただし、局所的に、あるいは開口数の高い一部の領域において、光学素子より遠い側で光軸と交わる場合も含む。
【手続補正３６】
【補正対象書類名】明細書
【補正対象項目名】００４９
【補正方法】変更
【補正の内容】
【００４９】
請求項１４記載の光学素子において、光路差付与機能による位相差付与量と輪帯の光軸方向の厚みの差ｄとの関係式には、光学素子の入射面に入射した光線の屈折角などの要素も含まれ、複雑な式となるが、基本的な技術は請求項１記載の発明と同様である。
屈折機能を有する非球面の面形状を、単に光路長差分だけ光軸方向にシフトさせることにより、単体の光学素子として光路差付与機能と屈折機能とを兼ね備えるものが得られる場合がある。しかしながら、開口数が大きくなり、光学素子の面の曲率半径が小さくなると、光路長を厳密に考慮する必要が生じるため、屈折機能を有する非球面の面形状を、光路長差分だけ光軸方向にシフトさせるだけでは、上記の機能を達成できない場合がある。このような場合には、屈折機能を果たす屈折面の形状をも変化させることで、光路差付与機能と屈折機能とを兼ね備える光学素子となる。
このようにして、光学系の置かれる環境の温度、光学系に入射する使用波長が変化した際の、集光スポットの波面収差が最小となる光軸方向の位置における波面収差が０．１４λｒｍｓ以下であることにより、集光スポットの強度を、光情報記録媒体にデータを読み書きするために好適なものとすることができる。
つまり、光ピックアップ装置の温度が使用基準温度Ｔ0の上下６０［℃］の範囲内で変化した際に生じる波面収差は、光学素子によって０．１４λｒｍｓ以下となるので、実使用環境と想定される使用温度範囲、即ち使用基準温度Ｔ0の上下３０［℃］の範囲では、波面収差は凡そ０．０７λｒｍｓ以下となる。これにより、光ピックアップ装置の温度が使用基準温度Ｔ0の場合は勿論のこと、使用基準温度Ｔ0に対して変化した場合であっても波面収差を抑えることができるため、光情報記録媒体へのデータの読み書き時のエラーを防止することができる。
【手続補正３７】
【補正対象書類名】明細書
【補正対象項目名】００５０
【補正方法】削除
【補正の内容】
【手続補正３８】
【補正対象書類名】明細書
【補正対象項目名】００５１
【補正方法】削除
【補正の内容】
【手続補正３９】
【補正対象書類名】明細書
【補正対象項目名】００５２
【補正方法】削除
【補正の内容】
【手続補正４０】
【補正対象書類名】明細書
【補正対象項目名】００５３
【補正方法】削除
【補正の内容】
【手続補正４１】
【補正対象書類名】明細書
【補正対象項目名】００５４
【補正方法】削除
【補正の内容】
【手続補正４２】
【補正対象書類名】明細書
【補正対象項目名】００５５
【補正方法】削除
【補正の内容】
【手続補正４３】
【補正対象書類名】明細書
【補正対象項目名】００５６
【補正方法】削除
【補正の内容】
【手続補正４４】
【補正対象書類名】明細書
【補正対象項目名】００５７
【補正方法】削除
【補正の内容】
【手続補正４５】
【補正対象書類名】明細書
【補正対象項目名】００５８
【補正方法】削除
【補正の内容】
【手続補正４６】
【補正対象書類名】明細書
【補正対象項目名】００５９
【補正方法】削除
【補正の内容】
【手続補正４７】
【補正対象書類名】明細書
【補正対象項目名】００６０
【補正方法】削除
【補正の内容】
【手続補正４８】
【補正対象書類名】明細書
【補正対象項目名】００６１
【補正方法】削除
【補正の内容】
【手続補正４９】
【補正対象書類名】明細書
【補正対象項目名】００６２
【補正方法】削除
【補正の内容】
【手続補正５０】
【補正対象書類名】明細書
【補正対象項目名】００６３
【補正方法】削除
【補正の内容】
【手続補正５１】
【補正対象書類名】明細書
【補正対象項目名】００６４
【補正方法】削除
【補正の内容】
【手続補正５２】
【補正対象書類名】明細書
【補正対象項目名】００６５
【補正方法】削除
【補正の内容】
【手続補正５３】
【補正対象書類名】明細書
【補正対象項目名】００６６
【補正方法】削除
【補正の内容】
【手続補正５４】
【補正対象書類名】明細書
【補正対象項目名】００６７
【補正方法】削除
【補正の内容】
【手続補正５５】
【補正対象書類名】明細書
【補正対象項目名】００６８
【補正方法】削除
【補正の内容】
【手続補正５６】
【補正対象書類名】明細書
【補正対象項目名】００６９
【補正方法】削除
【補正の内容】
【手続補正５７】
【補正対象書類名】明細書
【補正対象項目名】００７０
【補正方法】削除
【補正の内容】
【手続補正５８】
【補正対象書類名】明細書
【補正対象項目名】００９５
【補正方法】削除
【補正の内容】
【手続補正５９】
【補正対象書類名】明細書
【補正対象項目名】００９６
【補正方法】削除
【補正の内容】
【手続補正６０】
【補正対象書類名】明細書
【補正対象項目名】００９７
【補正方法】削除
【補正の内容】
【手続補正６１】
【補正対象書類名】明細書
【補正対象項目名】００９８
【補正方法】変更
【補正の内容】
【００９８】
請求項２に記載の発明によれば、輪帯の数を３〜６０とすることにより、特にＣＤ−ＲＷに確実にデータを読み書きすることができる。また、光学素子の加工が容易になるという利点がある。
【手続補正６２】
【補正対象書類名】明細書
【補正対象項目名】００９９
【補正方法】変更
【補正の内容】
【００９９】
請求項３に記載の発明によれば、レーザー光源と第一光学素子との間に、発散光を平行光束に変換するためのコリメータレンズ等を設ける必要がない。従って、コリメータレンズ等を必要としない分、光ピックアップ装置の構成を小型化することができる。
【手続補正６３】
【補正対象書類名】明細書
【補正対象項目名】０１００
【補正方法】変更
【補正の内容】
【０１００】
請求項４に記載の発明によれば、光情報記録媒体にデータを読み書きするために必要な回折限界以下に抑えることができる。
【手続補正６４】
【補正対象書類名】明細書
【補正対象項目名】０１０１
【補正方法】変更
【補正の内容】
【０１０１】
請求項５に記載の発明によれば、集光スポットの波面収差最小値を、光情報記録媒体にデータを読み書きするために必要な回折限界以下に抑えることができる。
【手続補正６５】
【補正対象書類名】明細書
【補正対象項目名】０１０２
【補正方法】変更
【補正の内容】
【０１０２】
請求項６に記載の発明によれば、光ピックアップ装置に、第一光情報記録媒体と第二光記録媒体とに対する互換性を持たせることができる。
【手続補正６６】
【補正対象書類名】明細書
【補正対象項目名】０１０３
【補正方法】変更
【補正の内容】
【０１０３】
請求項７に記載の発明によれば、ＣＤ−ＲＷを第二光情報記録媒体として用い、請求項１〜８の何れか一項に記載の発明と同様の効果を得ることができる。
【手続補正６７】
【補正対象書類名】明細書
【補正対象項目名】０１０４
【補正方法】変更
【補正の内容】
【０１０４】
請求項８に記載の発明によれば、第一光情報記録媒体へのデータの読み書きの確実性を変化させずに、第二光情報記録媒体へのデータの読み書きの確実性を高めることができる。
【手続補正６８】
【補正対象書類名】明細書
【補正対象項目名】０１０５
【補正方法】変更
【補正の内容】
【０１０５】
請求項９に記載の発明によれば、第一光情報記録媒体と第二光記録媒体とに確実にデータを読み書きすることができる。
【手続補正６９】
【補正対象書類名】明細書
【補正対象項目名】０１０６
【補正方法】変更
【補正の内容】
【０１０６】
請求項１０に記載の発明によれば、回折構造を有する光学素子によって請求項９に記載の発明と同様の効果が得られる。
【手続補正７０】
【補正対象書類名】明細書
【補正対象項目名】０１０７
【補正方法】変更
【補正の内容】
【０１０７】
請求項１１に記載の発明によれば、光ピックアップ装置の温度変化に起因して生じる波面収差を、記録再生に問題ない程度に抑えることができる。
【手続補正７１】
【補正対象書類名】明細書
【補正対象項目名】０１０８
【補正方法】変更
【補正の内容】
【０１０８】
請求項１２に記載の発明によれば、光情報記録媒体に対する情報の読み書きの精度がいっそう高まる。
【手続補正７２】
【補正対象書類名】明細書
【補正対象項目名】０１０９
【補正方法】削除
【補正の内容】
【手続補正７３】
【補正対象書類名】明細書
【補正対象項目名】０１１０
【補正方法】変更
【補正の内容】
【０１１０】
請求項１３に記載の発明によれば、光路差付与機能と屈折機能とを独立して設計を行うことができるため、より設計が容易となる。また、第二光学素子に更なる光学的機能を持たせることもできる。
【手続補正７４】
【補正対象書類名】明細書
【補正対象項目名】０１１１
【補正方法】変更
【補正の内容】
【０１１１】
請求項１４に記載の発明によれば、光ピックアップ装置の温度が使用基準温度Ｔ0の場合は勿論のこと、使用基準温度Ｔ0に対して変化した場合であっても波面収差を抑えることができるため、光情報記録媒体へのデータの読み書き時のエラーを防止することができる。
【手続補正７５】
【補正対象書類名】明細書
【補正対象項目名】０１１２
【補正方法】削除
【補正の内容】
【手続補正７６】
【補正対象書類名】明細書
【補正対象項目名】０１１３
【補正方法】削除
【補正の内容】
【手続補正７７】
【補正対象書類名】明細書
【補正対象項目名】０１１４
【補正方法】削除
【補正の内容】
【手続補正７８】
【補正対象書類名】明細書
【補正対象項目名】０１１５
【補正方法】削除
【補正の内容】